(57)【要約】【課題】輝度ムラの目立たない高品位な面状光を出射させることができるバックライトを提供する。【解決手段】バックライト１０は、細長形状に形成された第１光源１１と、第１光源１１からの光を第１側面の一部分で受光し、主面から面状光を出射させる導光板１６とを少なくとも有し、第１光源１１の一端部分は第１光源１１の中央部分よりも発光輝度が低い。【選択図】図２
2008140548.tif 000002
【特許請求の範囲】
【請求項１】
細長形状に形成された１又は２以上の第１光源と、
前記第１光源からの光を第１側面の一部分又は背面の一部分で受光し、前記背面と対向する主面から面状光を出射させる発光板と、
を少なくとも有し、
前記第１光源の一端部分は前記第１光源の中央部分よりも発光輝度が低いバックライト。
【請求項２】
請求項１に記載されたバックライトにおいて、
前記第１光源は、細長形状の第１発光部と、前記第１発光部に略並行に配置された細長形状の第２発光部とを有し、
前記第１発光部と前記第２発光部とは長手方向の長さが異なるバックライト。
【請求項３】
請求項２に記載されたバックライトにおいて、
前記第１発光部と前記第２発光部とが結合されてＵ字状に形成されているバックライト。
【請求項４】
請求項１に記載されたバックライトにおいて、
細長形状に形成された１又は２以上の第２光源をさらに有し、
前記第２光源の一端部分は前記第２光源の中央部分よりも発光輝度が低く、
前記発光板は、前記第１光源からの光を前記第１側面で受光し、前記第２光源からの光を前記第１側面と対向する第２側面で受光するバックライト。
【請求項５】
請求項２又は３に記載されたバックライトにおいて、
前記第１発光部と前記第２発光部とは前記面発光板の板面に対して上下方向に並設されているバックライト。
【請求項６】
請求項２又は３に記載されたバックライトにおいて、
前記第１発光部と前記第２発光部とは前記面発光板の板面に対して横方向に並設されているバックライト。
【請求項７】
請求項２又は３に記載されたバックライトにおいて、
前記第１発光部の端部に電気的に接続された、前記第１発光部に電圧を印加するための配線をさらに有し、
前記第１発光部は前記第２発光部よりも長手方向の長さが長く、
前記配線は前記第２発光部側に引き回されているバックライト。
【請求項８】
請求項２に記載されたバックライトにおいて、
前記第１発光部の端部に電気的に接続された第１配線と、前記第２発光部の端部に電気的に接続された接続された第２配線とをさらに有し、
前記第１配線と前記第２配線とが結線されているバックライト。
【請求項９】
細長形状に形成された１又は２以上の第１光源と、前記第１光源からの光を第１側面の一部分又は背面の一部分で受光し、前記背面と対向する主面から面状光を出射させる発光板とを少なくとも有し、前記第１光源の一端部分は前記第１光源の中央部分よりも発光輝度が低いバックライと、
前記バックライトの光出射面側に配置され、前記バックライトから出射される前記面状光を透過させる表示媒体層と、
を備えた表示装置。
【発明の詳細な説明】
【技術分野】
【０００１】
本発明はバックライト及びこれを有する表示装置に関する。
【背景技術】
【０００２】
近年、ノート型パソコン等のモバイル機器の重要が増大する傾向にあり、液晶表示装置の小型化、特に狭額縁化が重要な課題となっている。
【０００３】
図１５は従来の小型化・狭額縁化された液晶表示装置１００の構成を示す断面図である。
【０００４】
液晶表示装置１００は、ランプ１１１、ゴムフォルダ１１２、ランプフォルダ１１３、ハーネス１１４、透明導光体１１６、反射シート１１７、プリズムシート１１８、及び拡散シート１１９によって構成されるバックライト装置１１０と、フロントシャーシ１２１と、液晶表示パネル１２２と、バックシャーシ１２０とを備えている。バックライト装置は、均一な厚みを有する板状の透明導光体１１６と、この透明導光体１１６において対向する一対の側面のそれぞれに対して２本ずつ配置されたランプ１１１とを備えている。透明導光板１１６の同一側面側に配置された２本のランプ１１１のそれぞれは長手方向の長さが略同一である。
【特許文献１】特開平９−２５９６２５号公報
【発明の開示】
【発明が解決しようとする課題】
【０００５】
図１６はバックライト１１０の輝度分布を示す模式図である。詳細には、図１６（ａ）は側面側から見たバックライト１１０の模式図である。図１６（ｂ）は主面（光出射面）側から見たバックライト１１０の模式図である。
【０００６】
図１６に示すように、バックライト１１０では、液晶表示装置１００を狭額縁化・小型化を実現する観点から、ランプフォルダ１１３と透明導光体１１６とは略同一長とされている。このため、ランプフォルダ１１３内に設置されたランプ１１１の発光領域は透明導光体１１６よりも短く、透明導光体１１６の角部１１６ａにはランプ１１６からの光が直接入射しない。従って、透明導光体１１６の角部１１６ａは、ランプ１１１の光が直接入射する透明導光体１１６の中央部１１６ｂに対して輝度が低くなる。
【０００７】
また、バックライト１１０では、高輝度化を図るため、透明導光体１１６の同一側面側に配置された一対のライト１１１のそれぞれが略同一長であるバックライト１１０では、角部１１６ａと中央部分１１６ｂとの輝度差は非常に大きく、また、角部１１６ａと中央部分１１６ｂとの境界が強調されるという問題がある。
【０００８】
このため、バックライト１１０を備えた液晶表示装置１００では、高品位な画像を表示させることができないという問題がある。
【０００９】
本発明は、係る点に鑑みてなされたものであり、輝度ムラの目立たない高品位な面状光を出射させることができるバックライトを実現することを第１の目的とする。そして、輝度ムラが目立たない高品位な画像表示が可能な液晶表示装置を実現することを第２の目的とする。
【課題を解決するための手段】
【００１０】
本発明に係るバックライトは、細長形状に形成された１又は２以上の第１光源と、第１光源からの光を第１側面の一部分又は背面の一部分で受光し、背面と対向する主面から面状光を出射させる発光板とを少なくとも有する。本発明に係るバックライトでは、第１光源の一端部分は第１光源の中央部分よりも発光輝度が低い。このため、発光板に、第１光源からの光が直接入射しない低輝度部分と、高輝度な第１光源の中央部分からの光が直接入射する高輝度部分との間に、第１光源の中央部部分よりも輝度が低い、第１光源の一端部分からの光が直接入射する中間輝度部分が形成される。換言すれば、発光板に、低輝度部分、中間輝度部分、そして高輝度部分がこの順で連続的に形成される。従って、本発明に係るバックライトは、低輝度部分と高輝度部分との境界が不明瞭化されるため、輝度ムラの目立たない高品位な面状光を出射させることができる。
【００１１】
尚、本発明に係るバックライトは、第１光源からの光を第１側面で受光するエッジライト方式のバックライトであってもよく、また、第１光源からの光を背面で受光する直下型のバックライトであってもよい。エッジライト方式のバックライトである場合、発光板は、第１側面で受光した第１光源からの光を主面に導光する導光板であってもよい。直下型のバックライトである場合、発光板は、背面で受光した第１光源からの光を主面側に拡散して透過する拡散板であってもよい。
【００１２】
また、（第１）光源は何ら限定されるものではなく、ランプ（蛍光管）、有機又は無機エレクトロルミネッセンス発光素子、プラズマ発光素子、フィールドエミッション発光素子、発光ダイオード（ＬＥＤ）等であってもよい。
【００１３】
第１光源からの光を第１側面で受光するエッジライト方式のバックライトである場合、矩形の発光板（詳細には、エッジライト方式の場合は導光板）の主面の長辺に接する側面が第１側面を構成していることが好ましい。この構成によれば、第１光源を比較的長く形成することができるため、高輝度なバックライトを実現することができる。
【００１４】
本発明に係るバックライトは、第１光源が、細長形状の第１発光部と、第１発光部に略並行に配置された細長形状の第２発光部とを有し、第１発光部と第２発光部とは長手方向の長さが異なるものであってもよい。
【００１５】
この構成によれば、第１発光部の長手方向の長さと第２発光部の長手方向の長さとが異なるため、第１光源の中央部分は第１発光部と第２発光部との双方により構成されるのに対して、一端部分は第１発光部又は第２発光部のいずれかのみによって構成される。このため、第１光源の中央部分よりも、第１光源の一端部分の発光輝度は低くなる。従って、この構成によれば、発光板に、低輝度部分、中間輝度部分、及び高輝度部分をこの順で連続的に形成することができる。その結果、この構成によれば、低輝度部分と高輝度部分との境界を不明瞭化することができるため、輝度ムラの目立たない高品位な面状光を出射させることができる。
【００１６】
本発明に係るバックライトは第１発光部と第２発光部とが結合されてＵ字状に形成されたものであってもよい。
【００１７】
この構成によれば、第１発光部又は第２発光部により構成された第１光源の一端部分を第１光源のその他の部分よりも低輝度にすることができる。従って、この構成によれば、発光板に、低輝度部分、中間輝度部分、及び高輝度部分をこの順で連続的に形成することができる。その結果、この構成によれば、低輝度部分と高輝度部分との境界を不明瞭化することができるため、輝度ムラの目立たない高品位な面状光を出射させることができる。
【００１８】
本発明に係るバックライトは、第１光源がそれぞれ長手方向の長さが略同一の第１発光部及び第２発光部を含み、第１光源の長手方向の中央部と第２光源の長手方向の中央部とがずれるように、第１光源と第２光源とが略並行に配置されていてもよい。
【００１９】
この構成によれば、第１光源の中央部分は第１発光部及び第２発光部によって構成される。第１光源の一端部分は第１発光部のみによって形成され、第１光源の他端部分は第２光源のみによって形成される。このため、第１光源の両端部分を第１光源の中央部分よりも低輝度にすることができる。従って、この構成によれば、発光板に、低輝度部分、中間輝度部分、及び高輝度部分をこの順で連続的に形成することができる。その結果、この構成によれば、低輝度部分と高輝度部分との境界を不明瞭化することができるため、輝度ムラの目立たない高品位な面状光を出射させることができる。
【００２０】
本発明に係るバックライトは細長形状に形成された１又は２以上の第２光源をさらに有し、第２光源の一端部分が第２光源の中央部分よりも発光輝度が低く、発光板は、第１光源からの光を第１側面で受光し、第２光源からの光を第１側面と対向する第２側面で受光するものであってもよい。すなわち、導光板の対向する２つの側面の両方に対して光源が設置されていてもよい。
【００２１】
この構成によれば、光源を複数有するため、高輝度な面状光を出射させることができる。また、第１光源からの光を受光する第１側面周辺部分と、第２光源からの光を受光する第２側面周辺部分との双方において、低輝度部分と高輝度部分との境界を不明瞭化することができる。このため、より輝度ムラの目立たない高品位な面状光を出射させることができる。
【００２２】
本発明に係るバックライトでは、第１発光部と第２発光部とが面発光板の板面に対して上下方向に並設されていてもよい。
【００２３】
本発明に係るバックライトでは、第１発光部と第２発光部とは面発光板の板面に対して横方向に並設されていてもよい。
【００２４】
本発明に係るバックライトは、第１発光部の端部に電気的に接続された、第１発光部に電圧を印加するための配線をさらに有し、第１発光部は第２発光部よりも長手方向の長さが長く、配線が第２発光部側に引き回されていてもよい。
【００２５】
本発明に係るバックライトは、第１発光部の端部に電気的に接続された第１配線と、第２発光部の端部に電気的に接続された接続された第２配線とをさらに有し、第１配線と第２配線とが結線されていてもよい。
【００２６】
この構成によれば、構造が単純であり、製造容易なバックライトを実現することができる。第１発光部及び第２発光部がそれぞれ細長形状のランプ（蛍光管）により形成されている場合、第１発光部のコールド（ＣＯＬＤ）側に電気的に接続された第１配線と、第２発光部のコールド（ＣＯＬＤ）側に電気的に接続された第２配線とを結線することが好ましい。コールド（ＣＯＬＤ）側はホット（ＨＯＴ）側よりも印加される電圧が低いためである。
【００２７】
本発明に係る表示装置は、細長形状に形成された１又は２以上の第１光源と、第１光源からの光を第１側面の一部分又は背面の一部分で受光し、背面と対向する主面から面状光を出射させる発光板とを少なくとも有し、第１光源の一端部分は第１光源の中央部分よりも発光輝度が低いバックライトと、バックライトの光出射面側に配置され、バックライトから出射される面状光を透過させる表示媒体層とを備えている。換言すれば、本発明に係る表示装置は、本発明に係るバックライトと、そのバックライトの光出射面側に配置された表示媒体層とを備えている。
【００２８】
上述の通り、本発明に係るバックライトは低輝度部分と高輝度部分との境界が不明瞭であるため、輝度ムラの目立たない高品位な面状光を出射させることができる。このため、本発明に係るバックライトを備えた本発明に係る表示装置は輝度ムラが目立たない高品位な画像を表示させることができる。尚、「表示媒体層」とは、互いに対向する電極間の電位差により光透過率が変調される層をいう。表示媒体層は、具体的には液晶層、電気泳動層、電子粉流層であってもよい。
【発明の効果】
【００２９】
以上説明したように、本発明に係るバックライトによれば、低輝度部分、中間輝度部分、及び高輝度部分をこの順で連続的に形成することができるので、輝度ムラの目立たない高品位な面状光を出射させることができる。また、本発明に係る表示装置によれば、輝度ムラが目立たない高品位な画像を表示させることができる。
【発明を実施するための最良の形態】
【００３０】
以下、本発明の実施形態について、図面を参照しながら詳細に説明する。
【００３１】
（実施形態１）図１は本実施形態１に係る液晶表示装置１の構成を示す断面図である。
【００３２】
図２は図１中切り出し線ＩＩ−ＩＩ部分で切断した部分の概略断面図である。
【００３３】
液晶表示装置１は、バックライト１０と、バックライト１０の光出射面側に設けられた液晶表示パネル２２と、バックライト１０の背面側に設けられ、バックライト１０を保持するバックシャーシ２０と、液晶表示パネル２２の周縁部分を保持するフロントシャーシ２１とを備えている。液晶表示パネル２２は、液晶層（図示せず）と、液晶層を狭持する一対の基板２２ａ、２２ｂとを含む。
【００３４】
バックライト１０は、発光板としての導光板１６と、導光板１６の側面に対して光を出射する２つの光源ユニット１５とを有する。２つの光源ユニット１５は導光板１６を挟んで、対峙するように配置されている。光源ユニット１５は第１発光部としての第１蛍光管１１ａ及び第２発光部としての第２蛍光管１１ｂにより構成される第１光源と、第１蛍光管１１ａ及び第２蛍光管１１ｂの両端部分を固定する一対のゴムフォルダ１２と、ゴムフォルダ１２によって両端が固定された第１蛍光管１１ａ及び第２蛍光管１１ｂの全体を固定するランプフォルダ１３とを備えている。ランプフォルダ１３の第１蛍光管１１ａ側表面は光反射性であってもよい。ランプフォルダ１３の第１蛍光管１１ａ側表面を光反射性にすることによって、第１蛍光管１１ａ及び第２蛍光管１１ｂからランプフォルダ１３方向に出射された光が光反射性を有するランプフォルダ１３の表面により導光板１６方向に反射される。このため、第１蛍光管１１ａ及び第２蛍光管１１ｂから出射された光の導光板１６への入射光率を向上することができる。
【００３５】
第１蛍光管１１ａ及び第２蛍光管１１ｂから出射された光は導光板１６の側面から導光板１６内に入射するように構成されている。導光板１６の背面側には反射シート１７が設けられており、導光板１６内に入射した光は、主面（光出射面）側に導光される。導光板１６の主面から出射した光は、導光板１６の主面側にそれぞれ積層されたプリズムシート１８、及び拡散シート１９によって液晶表示パネル２２に集光・拡散される。
【００３６】
第１蛍光管１１ａの両端には、それぞれ第１蛍光管１１ａに電圧を印加するための第１配線（第１ハーネス）１４ａが電気的に接続されている。一方、第２蛍光管１１ｂの両端には、それぞれ第２蛍光管１１ｂに電圧を印加するための第２配線（第２ハーネス）１４ｂが電気的に接続されている。第１配線１４ａ及び第２配線１４ｂは液晶表示パネル２２側に引き回されており、ランプフォルダ１３の液晶表示パネル２２側に形成された凹部に収納されている。このため、液晶表示装置１の層厚（Ｈ１）を、例えば、第１配線１４ａ及び第２配線１４ｂが導光板１６の背面側（図１において下側）に引き回されている従来の液晶表示装置１００の層厚（Ｈ２，図１５参照）よりも小さくすることができる。従って、この構成によれば、液晶表示装置１を薄型化することができる。
【００３７】
また、第１蛍光管１１ａに電気的に接続された第１配線１４ａを、第１蛍光管１１ａよりも短い第２蛍光管１１ｂ側に引き出すことによって、バックライト１０及び液晶表示装置１の狭額縁化を実現することができる。
【００３８】
図３は第１蛍光管と第２蛍光管とを同一長に構成し、第１配線を第２蛍光管側に引き回した場合の構成を示す断面図である。
【００３９】
図３に示す場合、第１配線を、まず、第１蛍光管の延びる方向に引き出した後に、第２蛍光管側に引き回さなければならないため、図３に示す液晶表示装置では額縁部の幅（Ｗ２）が大きくなる。一方、本実施形態１に係る液晶表示装置１では、図２に示すように、第２蛍光管１１ｂが第１蛍光管１１ａよりも短いため、第１配線１４ａを直接第２蛍光管１１ｂ側に引き出すことができる。このため、液晶表示装置１の額縁部の幅（Ｗ１）を図３に示す液晶表示装置の額縁部の幅（Ｗ２）よりも小さくすることができる。
【００４０】
次に、図１及び図２を参照しながら、第１光源１１の構成について詳細に説明する。第１光源は第１蛍光管１１ａ及び第２蛍光管１１ｂにより構成されている。第１蛍光管１１ａ及び第２蛍光管１１ｂのそれぞれは、細長形状に形成されており、線状光（詳細には、線分状の光）を出射する。第２蛍光管１１ｂと第１蛍光管１１ａとは相互に略並行に、導光板１６の板面に対して上下方向（パネル積層方向）に並設されている。第１蛍光管１１ａと第２蛍光管１１ｂとは長手方向の長さが異なる。具体的には、第２蛍光管１１ｂは第１蛍光管１１ａよりも長手方向の長さが短い。このため、第１蛍光管１１ａの両端は第２蛍光管１１ｂの両端よりも内側となる。
【００４１】
図４はバックライト１０の輝度分布を示す模式図である。詳細には、詳細には、図４（ａ）、（Ｃ）は側面側から見たバックライト１０の模式図である。図４（ｂ）は主面（光出射面）側から見たバックライト１０の模式図である。
【００４２】
図４に示すように、第２蛍光管１１ｂのみが設けられた第１光源１１の両端部分Ｅは第１蛍光管１１ａと第２蛍光管１１ｂとの双方が併設された第１光源１１の中央部分Ｃよりも発光輝度が低い。このため、導光板１６のうち、第１光源１１からの光が直接入射しない角部１６ａが最も低輝度となり、最も発光輝度が高い第１光源１１の中央部分Ｃからの光が直接入射する中央部分１６ｃが最も高輝度となる。角部１６ａと中央部分１６ｃとの間に設けられた、第１光源１１の両端部分Ｅからの光が直接入射する部分１６ｂは角部１６ａと中央部分１６ｃとの中間の輝度となる。言い換えれば、最も輝度が低い角部１６ａ、中間の輝度を有する部分１６ｂ、及び最も輝度が高い中央部分１６ｃがこの順で連続的に形成され、角部１６ａから中央部分１６ｃにかけてグラデュエーションが形成される。このため、バックライト１０は輝度ムラが目立たない高品位な面状光を出射することができる。従って、本実施形態１に係る液晶表示装置１は輝度ムラが目立たない高品位な画像を表示させることができる。
【００４３】
尚、本実施形態１では、比較的長手方向の長さが長い第１蛍光管１１ａよりも、比較的長手方向の長さが短い第２蛍光管１１ｂを液晶表示パネル２２よりに配置されているが、本発明は何らこの構成に限定されるものではなく、例えば、第１蛍光管１１ａを第２蛍光管１１ｂよりも液晶表示パネル２２よりに配置しても構わない。この構成によっても同様に、輝度ムラが目立たない高品位な面状光を得ることができる。
【００４４】
また、第１光源１１は第１蛍光管１１ａと第２蛍光管１１ｂとに加えて、さらに１又は２以上の蛍光管を含んでいても勿論構わない。
【００４５】
また、本実施形態１においては第１蛍光管１１ａ及び第２蛍光管１１ｂのそれぞれは線分状に形成されているが、本発明はこれに限定されるものではない。第１蛍光管１１ａ及び第２蛍光管１１ｂのそれぞれは、例えば、Ｓ字状やＷ字状に形成されていてもよい。
【００４６】
（実施形態２）図５は実施形態２に係る液晶表示装置３０の構成を示す概略断面図である。
【００４７】
実施形態２に係る液晶表示装置３０は、第１光源の構成を除いては、実施形態１に係る液晶表示装置１と同様の構成を有する。以下、図５を参照しながら、実施形態２における第１光源の構成について詳細に説明する。尚、実施形態２の説明において、実質的に同じ機能を有する構成要素を共通に参照符号で説明し、説明を省略する。
【００４８】
実施形態２に係る液晶表示装置３０では、第１光源３１が第１蛍光管３１ａと第２蛍光管３１ｂにより構成されている。第１蛍光管３１ａは第２蛍光管３１ｂよりも長手方向の長さが長い。実施形態２では、第１蛍光管３１ａの一端Ｅｄ１と第２蛍光管３１ｂの一端Ｅｄ２との位置が揃えられており、第１蛍光管３１ａの他端Ｅｄ３と第２蛍光管３１ｂの他端Ｅｄ４との位置が異なるように第１蛍光管３１ａと第２蛍光管３１ｂとが設置されている。
【００４９】
第１蛍光管３１ａの端Ｅｄ１には第１配線３２ａが電気的に接続されている。第２蛍光管３１ｂの端Ｅｄ２には第２配線３２ｂが電気的に接続されている。第２配線３２ａは第１配線３２ｂに結線されている。このため、液晶表示装置３０の額縁部の幅（Ｗ３）を図３に示す額縁部の幅（Ｗ２）よりも小さくすることができる。従って、液晶表示装置３０の狭額縁化を実現することができる。また、第１配線３２ａを第２配線３２ｂに結線することによって引きます配線の数を少なくすることができ、液晶表示装置３０の構造をより簡単にすることができる。
【００５０】
尚、第１蛍光管３１ａの端Ｅｄ１及び第２蛍光管３１ｂの端Ｅｄ２はコールド（ＣＯＬＤ）側であることが好ましい。コールド（ＣＯＬＤ）側とは、印加する電圧が比較的低い側をいい、印加する電圧が比較的高い側を、一般的に、ホット（ＨＯＴ）側という。
【００５１】
図６は液晶表示装置３０が有するバックライト３３の輝度分布を示す模式図である。詳細には、詳細には、図６（ａ）、（Ｃ）は側面側から見たバックライト３３の模式図である。図６（ｂ）は主面（光出射面）側から見たバックライト３３の模式図である。
【００５２】
上述のように、端Ｅｄ１と端Ｅｄ２との位置は揃えられているが、端Ｅｄ３と端Ｅｄ４との位置は異なる。このため、第１光源３１の端部Ｅ（図６参照）は第１蛍光管３１ａのみによって構成されており、第１蛍光管３１ａ及び第２蛍光管３１ｂによって構成されている第１光源３１の中央部分Ｃよりも発光輝度が低い。このため、第１蛍光管３１ａ及び第２蛍光管３１ｂからの光が直接入射しない、低輝度な角部１６ａ、第１光源３１の端部Ｅからの光が直接入射する、中間輝度を有する部分１６ｂ、及び第１光源３１の中央部分Ｃからの光が直接入射する、高輝度な中央部分１６ｃがこの順に連続的に形成され、グラデュエーションが形成される。よって、バックライト１０は角部１６ａにおける輝度ムラが目立たない高品位な面状光を出射することができる。従って、本実施形態２に係る液晶表示装置３０は輝度ムラが比較的目立たず高品位な画像を表示させることができる。
【００５３】
（実施形態３）図７は実施形態３に係る液晶表示装置４０の構成を示す概略断面図である。
【００５４】
実施形態３に係る液晶表示装置４０は、第１光源の構成を除いては、実施形態２に係る液晶表示装置３０と同様の構成を有する。以下、図７を参照しながら、実施形態３における第１光源４１の構成について詳細に説明する。尚、実施形態３の説明において、実質的に同じ機能を有する構成要素を共通に参照符号で説明し、説明を省略する。
【００５５】
実施形態３に係る液晶表示装置４０では、第１光源４１はそれぞれ線状光を出射する、細長形状の第１蛍光管４１ａ及び第２蛍光管４１ｂを含む。第１蛍光管４１ａと第２蛍光管４１ｂとは屈曲部４１ｃにより結合されており、第１光源４１はＵ字状に形成されている。第２蛍光管５１ｂの長手方向の長さ（Ｌ２）は第１蛍光管４１ａの長手方向の長さ（Ｌ１）よりも短い。このため、実施形態３に係る液晶表示装置４０では、第１光源４１の一方端側（屈曲部４１ｃ側）には配線を電気的に接続する必要がない。従って、液晶表示装置４０では、額縁部の幅（Ｗ４）をより小さくすることができる。
【００５６】
また、上述のように、第１蛍光管４１ａの長手方向の長さの方が、第２蛍光管４１ｂの長手方向の長さよりも長い。このため、第１光源４１の一端部分は第１蛍光管４１ａのみによって構成される。この一端部分は第１蛍光管４１ａ及び第２蛍光管４１ｂによって構成されている第１光源４１の中央部分よりも発光輝度が低い。よって、本実施形態３に係る液晶表示装置４０においても、実施形態２に係る液晶表示装置３０と同様にバックライト４３の一端側の輝度ムラを目立たなくすることができる（図６（ｂ）に示す効果と同様の効果が得られる。）。従って、バックライト４３は比較的輝度ムラが目立たない高品位な面状光を出射することができる。その結果、本実施形態３に係る液晶表示装置４０は比較的輝度ムラが目立たない高品位な画像を表示させることができる。
【００５７】
（実施形態４）図８は実施形態４に係る液晶表示装置５０の構成を示す概略断面図である。
【００５８】
実施形態４に係る液晶表示装置５０は、第１光源の構成を除いては、実施形態１に係る液晶表示装置１と同様の構成を有する。以下、図８を参照しながら、実施形態４における第１光源５１の構成について詳細に説明する。尚、実施形態４の説明において、実質的に同じ機能を有する構成要素を共通に参照符号で説明し、説明を省略する。
【００５９】
実施形態４に係る液晶表示装置５０では、第１光源５１はそれぞれ細長形状の第１蛍光管５１ａ及び第２蛍光管５１ｂを含む。本実施形態４では、液晶表示パネル２２側に配置された第２蛍光管５１ｂの長手方向の長さが第１蛍光管５１ａの長手方向の長さよりも長い。また、第１蛍光管５１ａ及び第２蛍光管５１ｂに接続された配線５２は液晶表示パネル２２と反対側（図８において下側）に引き回されている。
【００６０】
本実施形態４においても、第１光源５１の中央部分は第１蛍光管５１ａ及び第２蛍光管５１ｂによって構成されており、第１光源５１の両端部分は第２蛍光管５１ｂのみによって構成されている。このため、第１光源５１の両側部分は第１光源５１の中央部分よりも発光輝度が低い。従って、本実施形態４に係るバックライト５３も、実施形態１に係るバックライト１０と同様に、輝度ムラが目立たない高品位な面状光を出射することができる。従って、本実施形態４に係る液晶表示装置５０も、本実施形態１に係る液晶表示装置１と同様に、輝度ムラが目立たない高品位な画像を表示させることができる（図４（ｂ）参照）。
【００６１】
（実施形態５）図９は実施形態５に係る液晶表示装置６０の構成を示す概略断面図である。
【００６２】
図１０は図９における切り出し線Ｘ−Ｘ部分で切断した部分の概略断面図である。
【００６３】
実施形態５に係る液晶表示装置６０は、第１光源の構成を除いては、実施形態１に係る液晶表示装置１と同様の構成を有する。以下、図面を参照しながら、実施形態５における第１光源６１の構成について詳細に説明する。尚、実施形態５の説明において、実質的に同じ機能を有する構成要素を共通に参照符号で説明し、説明を省略する。
【００６４】
実施形態５に係る液晶表示装置６０では、第１蛍光管６１ａ及び第２蛍光管６１ｂが導光板１６の板面の横方向に並設されている。このため、実施形態５に係るバックライト６０は実施形態１に係るバックライト１０よりも層厚が薄い。従って、実施形態５に係る液晶表示装置６０の層厚（Ｈ３）は実施形態１に係る液晶表示装置１の層厚（Ｈ１）よりも薄い。
【００６５】
図１０に示すように、実施形態５では、第１蛍光管６１ａが第２蛍光管６１ｂよりも短い。このため、バックライト６３における輝度分布は図１１に示すようになる。
【００６６】
図１１はバックライト６３の輝度分布を示す模式図である。詳細には、詳細には、図１１（ａ）、（Ｃ）は液晶表示装置６０の光出射面側から見た光源ユニット６４の模式図である。図１１（ｂ）は液晶表示装置６０の光出射面側から見た導光板１６の模式図である。
【００６７】
第２蛍光管６１ｂのみが設けられた第１光源６１の両端部分Ｅは第１蛍光管６１ａと第２蛍光管６１ｂとの双方が併設された第１光源６１の中央部分Ｃよりも発光輝度が低い。このため、導光板１６のうち、第１光源６１からの光が直接入射しない角部１６ａが最も低輝度となり、最も発光輝度が高い第１光源６１の中央部分Ｃからの光が直接入射する中央部分１６ｃが最も高輝度となる。角部１６ａと中央部分１６ｃとの間に設けられた、第１光源６１の両端部分Ｅからの光が直接入射する部分１６ｂは角部１６ａと中央部分１６ｃとの中間の輝度となる。言い換えれば、最も輝度が低い角部１６ａ、中間の輝度を有する部分１６ｂ、及び最も輝度が高い中央部分１６ｃがこの順で連続的に形成され、角部１６ａから中央部分１６ｃにかけてグラデュエーションが形成される。このため、バックライト６３は輝度ムラが目立たない高品位な面状光を出射することができる。従って、本実施形態５に係る液晶表示装置６０は輝度ムラが目立たない高品位な画像を表示させることができる。
【００６８】
（実施形態６）図１２は実施形態６に係る液晶表示装置７０の断面図である。
【００６９】
図１３は蛍光管７５の構成を示す光源ユニット７６の平面図である。
【００７０】
実施形態６に係る液晶表示装置７０は、バックライト７１と、バックライト７１の背面側（図１２において下側）を覆うように設けられたバックシャーシ７２と、液晶表示装置７０の周縁部分に、額縁状に設けられたフロントシャーシ７３と、フロントシャーシ７３によって、バックライト７１の光出射面側に保持された液晶表示パネル７４とを有する。液晶表示パネル７４には液晶層（図示せず）が含まれる。バックライト７１は、第１光源７５が複数配設されてなる光源ユニット７６と、光源ユニット７６の背面側（図１２において下側）に設けられた反射シート７７と、光源ユニット７６の主面側（図１２において上側）に設けられた発光板としてのプリズムシート７８と、プリズムシート７８の上に設けられた拡散シート７９とを有する。第１光源７５は第１蛍光管７５ａと、第１蛍光管７５ａに略並行に配設された第２蛍光管７５ｂとを備えている。
【００７１】
第１光源７５から出射された光は、直接又は反射シート７７により反射されて光源ユニット７６の主面側から出射する。出射した光はプリズムシート７８、及び拡散シート７９の機能によって均一な面状光とされ、液晶表示パネル７４に入射する。
【００７２】
図１２に示すように、第２蛍光管７５ｂは光源ユニット７６の両側部分Ｅ１にはそれぞれ１本ずつ設けられている。それに対して、光源ユニット７６の中央部分ｃには第１蛍光管７５ａ又は第２蛍光管７５ｂが、パネル積層方向（図１２において上下方向）に２本並設されている。また、図１３に示すように、第１蛍光管７５ａは比較手に長手方向の長さが短く、第２蛍光管７５ｂは長手方向の長さが短い。第１蛍光管７５ａと第２蛍光管７５ｂとが交互に配列するように、第１光源７５が配設されている。このため、バックライト７１の輝度分布は図１４に示すようになる。
【００７３】
図１４はバックライト７１の輝度分布を示す模式図である。
【００７４】
図１４に示すように、第１光源７５が配置されていないバックライト７１の周縁部分７６ａの輝度が最も低くなる。一方、第１光源７５がパネル積層方向に２本配設されており、且つ、第１蛍光管７５ａ及び第２蛍光管７５ｂの双方が存在する中央部分７６ｃの輝度が最も高くなる。周縁部分７６ａと中央部分７６ｃとの間の部分に周縁部分７６ａと中央部分７６ｃとの中間輝度を有する部分が形成される。周縁部分７６ａと中央部分７６ｃとの間の部分とは、具体的に、第１蛍光管７５ａ又は第２蛍光管７５ｂのいずれかのみが配置された部分（図１２におけるＥ１部分、及び図１３におけるＥ２部分）のことである。言い換えれば、最も輝度が低い周縁部分７６ａ、中間の輝度を有する部分７６ｂ、及び最も輝度が高い中央部分７６ｃがこの順で連続的に形成され、周縁部分７６ａから中央部分７６ｃにかけてグラデュエーションが形成される。このため、バックライト７１は輝度ムラが目立たない高品位な面状光を出射することができる。従って、本実施形態６に係る液晶表示装置７０は輝度ムラが目立たない高品位な画像を表示させることができる。
【図面の簡単な説明】
【００７５】
【図１】本実施形態１に係る液晶表示装置１の構成を示す断面図である。
【図２】図１中切り出し線ＩＩ−ＩＩ部分で切断した部分の概略断面図である。
【図３】第１蛍光管と第２蛍光管とを同一長に構成し、第１配線を第２蛍光管側に引き回した場合の構成を示す断面図である。
【図４】バックライト１０の輝度分布を示す模式図である。
【図５】実施形態２に係る液晶表示装置３０の構成を示す概略断面図である。
【図６】液晶表示装置３０が有するバックライト３３の輝度分布を示す模式図である。
【図７】実施形態３に係る液晶表示装置４０の構成を示す概略断面図である。
【図８】実施形態４に係る液晶表示装置５０の構成を示す概略断面図である。
【図９】実施形態５に係る液晶表示装置６０の構成を示す概略断面図である。
【図１０】図９における切り出し線Ｘ−Ｘ部分で切断した部分の概略断面図である。
【図１１】バックライト６３の輝度分布を示す模式図である。
【図１２】実施形態６に係る液晶表示装置７０の断面図である。
【図１３】蛍光管７５の構成を示す光源ユニット７６の平面図である。
【図１４】バックライト７１の輝度分布を示す模式図である。
【図１５】従来の小型化・狭額縁化された液晶表示装置１００の構成を示す断面図である。
【図１６】バックライト１１０の輝度分布を示す模式図である。
【符号の説明】
【００７６】
１、３０、４０、５０、６０、７０      液晶表示装置
１０、３３、４３、５３、６０、６３、７１      バックライト
１１、３１、６１、７５      第１光源
１１ａ、３１ａ、４１ａ、５１ａ、６１ａ、７５ａ    第１蛍光管
１１ｂ、３１ｂ、４１ｂ、５１ｂ、６１ｂ、７５ｂ    第２蛍光管
１２      ゴムフォルダ
１３      ランプフォルダ
１４ａ、３２ａ    第１配線
１４ｂ、３２ｂ    第２配線
１５、６４、７６      光源ユニット
１６      導光板
１７、７７      反射シート
１８、７８      プリズムシート
１９、７９      拡散シート
２０、７２      バックシャーシ
２１、７３      フロントシャーシ
２２、７４      液晶表示パネル
７６      光源ユニット
【図１】
2008140548.tif 000003
【図２】
2008140548.tif 000004
【図３】
2008140548.tif 000005
【図４】
2008140548.tif 000006
【図５】
2008140548.tif 000007
【図６】
2008140548.tif 000008
【図７】
2008140548.tif 000009
【図８】
2008140548.tif 000010
【図９】
2008140548.tif 000011
【図１０】
2008140548.tif 000012
【図１１】
2008140548.tif 000013
【図１２】
2008140548.tif 000014
【図１３】
2008140548.tif 000015
【図１４】
2008140548.tif 000016
【図１５】
2008140548.tif 000017
【図１６】
2008140548.tif 000018